(57)【要約】【課題】  動画像と静止画像とが混在する表示画面の画質を改善した液晶表示装置を提供する。【解決手段】液晶パネル２６の走査方向に分割されたバックライト３２，３３，３４，３５を設け、映像入力信号ＶＤの１フレームを同バックライト３２，３３，３４，３５の走査方向の長さに対応した４つのフレームブロック［１］，［２］，［３］，［４］に分割し、動画検出回路２１で同各フレームブロック［１］，［２］，［３］，［４］毎に動画像／静止画像を判定し、点灯タイミングｄｕｔｙ制御部２７が、動画像と判定されたフレームブロックに対応するバックライトを各液晶セル４０i,jの画素データＤiの印加に対する応答特性に対応して点滅させる一方、静止画像と判定されたフレームブロックに対応するバックライトを常時点灯させる。このため、動画像には残像現象やエッジぼけが少なく、かつ静止画像にはフリッカが発生しない。【選択図】図１
2005099367.tif 000002
【特許請求の範囲】
【請求項１】
光源と、
第１の方向に所定間隔で設けられた複数のデータ電極、前記第１の方向と直交する第２の方向に所定間隔で設けられた複数の走査電極、及び前記各データ電極と前記各走査電極との交差領域に設けられた複数の液晶セルを有し、前記各走査電極に走査信号が順次印加されると共に前記各データ電極に該当する画素データが印加されることにより前記各液晶セルに当該の前記画素データが印加され、前記光源から与えられる光に対して表示画像に対応した変調を行う液晶パネルとを備えてなる液晶表示装置であって、
前記光源は、
前記液晶パネルの前記第２の方向に分割された複数の光源ブロックからなり、
映像入力信号の１フレームを前記各光源ブロックの前記第２の方向の長さに対応した複数のフレームブロックに分割し、前記各フレームブロック毎に動画像／静止画像を判定する画像判定部と、
前記動画像と判定された前記フレームブロックに対応する光源ブロックを前記各液晶セルの前記画素データの印加に対する応答特性に対応して点滅させる一方、前記静止画像と判定された前記フレームブロックに対応する光源ブロックを常時点灯させる光源ブロック駆動部とが設けられていることを特徴とする液晶表示装置。
【請求項２】
前記光源ブロック駆動部は、
前記画素データの印加に対して前記各液晶セルの応答が完了する前は当該の光源ブロックを消灯させる一方、該応答が完了した時点で該光源ブロックを点灯させる構成とされていることを特徴とする請求項１記載の液晶表示装置。
【請求項３】
前記画像判定部は、
前記映像入力信号から時間的に連続する画像の現フレーム画像と前フレーム画像との間の動きベクトルを前記各フレームブロック毎に検出し、該動きベクトルに基づいて前記現フレーム画像を前記各フレームブロック毎に前記動画像と静止画像とに区別する構成とされていることを特徴とする請求項１記載の液晶表示装置。
【請求項４】
光源と、
第１の方向に所定間隔で設けられた複数のデータ電極、前記第１の方向と直交する第２の方向に所定間隔で設けられた複数の走査電極、及び前記各データ電極と前記各走査電極との交差領域に設けられた複数の液晶セルを有し、前記各走査電極に走査信号が順次印加されると共に前記各データ電極に該当する画素データが印加されることにより前記各液晶セルに当該の前記画素データが印加され、前記光源から与えられる光に対して表示画像に対応した変調を行う液晶パネルとを備えてなる液晶表示装置に用いられ、前記光源を駆動する駆動方法であって、
前記光源を、前記液晶パネルの前記第２の方向に分割された複数の光源ブロックで構成しておき、
映像入力信号の１フレームを前記各光源ブロックの前記第２の方向の長さに対応した複数のフレームブロックに分割し、前記各フレームブロック毎に動画像／静止画像を判定する画像判定処理と、
前記動画像と判定された前記フレームブロックに対応する光源ブロックを前記各液晶セルの前記画素データの印加に対する応答特性に対応して点滅させる一方、前記静止画像と判定された前記フレームブロックに対応する光源ブロックを常時点灯させる光源ブロック駆動処理とを行うことを特徴とする駆動方法。
【請求項５】
前記光源ブロック駆動処理では、
前記画素データの印加に対して前記各液晶セルの応答が完了する前は当該の光源ブロックを消灯させる一方、該応答が完了した時点で該光源ブロックを点灯させることを特徴とする請求項４記載の駆動方法。
【請求項６】
前記画像判定処理では、
前記映像入力信号から時間的に連続する画像の現フレーム画像と前フレーム画像との間の動きベクトルを前記各フレームブロック毎に検出し、該動きベクトルに基づいて前記現フレーム画像を前記各フレームブロック毎に前記動画像と静止画像とに区別することを特徴とする請求項４記載の駆動方法。
【発明の詳細な説明】
【技術分野】
【０００１】
この発明は、液晶表示装置及び該液晶表示装置に用いられる駆動方法に係り、特に、動画像と静止画像とが混在する画像を表示する場合に用いて好適な液晶表示装置及び該液晶表示装置に用いられる駆動方法に関する。
【背景技術】
【０００２】
画像表示装置のうち、特に液晶表示装置は、近年では、大型化かつ高精細化が進み、また、パーソナルコンピュータやワードプロセッサなどのような静止画像を表示する装置のみでなく、テレビジョン（ＴＶ）などのような動画像を表示する装置にも用いられるようになっている。液晶表示装置は、ＣＲＴ（Cathod Ray Tube ）を備えたＴＶに比べて奥行きが薄く、占有面積が小さいため、今後一般家庭への普及率が高くなるものと予想される。
【０００３】
液晶表示装置では、新たに画素データの書き込みが行われる直前まで１フレーム前の画素データが残るので、動画像を表示する場合には残像現象やエッジぼけが発生する。このような現象を改善するものとしてバックライトをインパルス駆動する方法があるが、このインパルス駆動により表示画面にフリッカが発生する。このフリッカは、動画像の部分では目立たないが、静止画像の部分では目立つことがあるため、フリッカの発生が抑制される液晶表示装置が提案されている。
【０００４】
従来、この種の技術としては、たとえば、次のような文献に記載されるものがあった。
図６は、特許文献１に記載された従来の液晶表示装置の概略の構成図である。
この液晶表示装置は、同図に示すように、切換え部１と、高速スイッチ２と、ランプ３ａ，３ｂと、導光部４と、液晶パネル５とから構成されている。この液晶表示装置では、表示画像の動画像／静止画像が図示しない判定部で判定され、動画像の場合、電源が切換え部１を介して高速スイッチ２に供給され、バックライトとして動作するランプ３ａ，３ｂが映像入力信号の１フレーム間で交互に点滅する。そして、ランプ３ａ，３ｂの光は、導光部４で液晶パネル５の方向に拡散され、同液晶パネル５の表示画像に対応して変調されて表示面側へ射出される。また、表示画像が静止画像の場合、電源が切換え部１を介してランプ３ａに供給され、同ランプ３ａが常時点灯される。そして、ランプ３ａの光は、導光部４で液晶パネル５の方向に拡散され、同液晶パネル５の表示画像に対応して変調されて表示面側へ射出される。
【０００５】
また、図７は、上記特許文献１に記載された従来の他の液晶表示装置の概略の構成図である。
この液晶表示装置は、同図７に示すように、受像部１１と、判断部１２と、区分け部１３と、スイッチ１４と、表示装置１５とから構成されている。また、表示装置１５は、周辺駆動部１５ａと、中央駆動部１５ｂと、動画対応制御部１５ｃとから構成されている。また、この表示装置の表示面は、図８に示すように、中央部の表示素子部１６と、周辺部の表示素子部１７とから構成され、同表示素子部１６には専用の図示しないバックライトが設けられている。
【０００６】
この液晶表示装置では、受像部１１から出力された画像データは、区分け部１３で表示画面の周辺部分に表示するものと中央部分に表示するものとに区分けされ、周辺部分の画像データは表示装置１５の周辺駆動部１５ａへ送出され、中央部分の画像データがスイッチ１４を経て表示装置１５の中央駆動部１５ｂへ送出される。また、上記画像データは、判断部１２で動画像／静止画像が判断され、動画像である場合、区分け部１３から送出されている中央部分の画像データがスイッチ１４を経て表示装置１５の動画対応制御部１５ｃへ送出される。動画対応制御部１５ｃは、送出された画像データを表示面の中央部の表示素子部１６に表示させると共に、バックライトの点灯を行う。
【特許文献１】特開２００１−２９６８４１号公報（第１１頁、第１４頁、図３、図１１）
【発明の開示】
【発明が解決しようとする課題】
【０００７】
しかしながら、上記従来の液晶表示装置では、次のような問題点があった。
すなわち、図６の液晶表示装置では、動画像が表示されるとき、１フレーム間でランプ３ａ，３ｂが交互に点滅するが、この場合、同ランプ３ａ，３ｂの点灯時において、液晶パネル５内では画素データに対する応答が完了している液晶セルと完了していない液晶セルとが存在し、表示画面内で輝度傾斜が発生する。この輝度傾斜は液晶パネル５が大型になるほど目立つため、表示画面の画質が低下するという問題点がある。
【０００８】
また、図７の液晶表示装置では、動画像は表示画像の中央部のみであることが前提となっているため、表示画面の周辺部分には静止画像に対応したバックライトの点灯が行われ、同周辺部分に動画像が表示される場合には、残像が発生して表示画面の画質が低下するという問題点がある。
【課題を解決するための手段】
【０００９】
上記課題を解決するために、請求項１記載の発明は、光源と、第１の方向に所定間隔で設けられた複数のデータ電極、前記第１の方向と直交する第２の方向に所定間隔で設けられた複数の走査電極、及び前記各データ電極と前記各走査電極との交差領域に設けられた複数の液晶セルを有し、前記各走査電極に走査信号が順次印加されると共に前記各データ電極に該当する画素データが印加されることにより前記各液晶セルに当該の前記画素データが印加され、前記光源から与えられる光に対して表示画像に対応した変調を行う液晶パネルとを備えてなる液晶表示装置に係り、前記光源は、前記液晶パネルの前記第２の方向に分割された複数の光源ブロックからなり、映像入力信号の１フレームを前記各光源ブロックの前記第２の方向の長さに対応した複数のフレームブロックに分割し、前記各フレームブロック毎に動画像／静止画像を判定する画像判定部と、前記動画像と判定された前記フレームブロックに対応する光源ブロックを前記各液晶セルの前記画素データの印加に対する応答特性に対応して点滅させる一方、前記静止画像と判定された前記フレームブロックに対応する光源ブロックを常時点灯させる光源ブロック駆動部とが設けられていることを特徴としている。
【００１０】
請求項２記載の発明は、請求項１記載の液晶表示装置に係り、前記光源ブロック駆動部は、前記画素データの印加に対して前記各液晶セルの応答が完了する前は当該の光源ブロックを消灯させる一方、該応答が完了した時点で該光源ブロックを点灯させる構成とされていることを特徴としている。
【００１１】
請求項３記載の発明は、請求項１記載の液晶表示装置に係り、前記画像判定部は、前記映像入力信号から時間的に連続する画像の現フレーム画像と前フレーム画像との間の動きベクトルを前記各フレームブロック毎に検出し、該動きベクトルに基づいて前記現フレーム画像を前記各フレームブロック毎に前記動画像と静止画像とに区別する構成とされていることを特徴としている。
【００１２】
請求項４記載の発明は、光源と、第１の方向に所定間隔で設けられた複数のデータ電極、前記第１の方向と直交する第２の方向に所定間隔で設けられた複数の走査電極、及び前記各データ電極と前記各走査電極との交差領域に設けられた複数の液晶セルを有し、前記各走査電極に走査信号が順次印加されると共に前記各データ電極に該当する画素データが印加されることにより前記各液晶セルに当該の前記画素データが印加され、前記光源から与えられる光に対して表示画像に対応した変調を行う液晶パネルとを備えてなる液晶表示装置に用いられ、前記光源を駆動する駆動方法に係り、前記光源を、前記液晶パネルの前記第２の方向に分割された複数の光源ブロックで構成しておき、映像入力信号の１フレームを前記各光源ブロックの前記第２の方向の長さに対応した複数のフレームブロックに分割し、前記各フレームブロック毎に動画像／静止画像を判定する画像判定処理と、前記動画像と判定された前記フレームブロックに対応する光源ブロックを前記各液晶セルの前記画素データの印加に対する応答特性に対応して点滅させる一方、前記静止画像と判定された前記フレームブロックに対応する光源ブロックを常時点灯させる光源ブロック駆動処理とを行うことを特徴としている。
【００１３】
請求項５記載の発明は、請求項４記載の駆動方法に係り、前記光源ブロック駆動処理では、前記画素データの印加に対して前記各液晶セルの応答が完了する前は当該の光源ブロックを消灯させる一方、該応答が完了した時点で該光源ブロックを点灯させることを特徴としている。
【００１４】
請求項６記載の発明は、請求項４記載の駆動方法に係り、前記画像判定処理では、前記映像入力信号から時間的に連続する画像の現フレーム画像と前フレーム画像との間の動きベクトルを前記各フレームブロック毎に検出し、該動きベクトルに基づいて前記現フレーム画像を前記各フレームブロック毎に前記動画像と静止画像とに区別することを特徴としている。
【発明の効果】
【００１５】
この発明の構成によれば、液晶パネルの第２の方向に分割された複数の光源ブロックを設け、映像入力信号の１フレームを同各光源ブロックの第２の方向の長さに対応した複数のフレームブロックに分割し、画像判定部で同各フレームブロック毎に動画像／静止画像を判定し、光源ブロック駆動部が、動画像と判定されたフレームブロックに対応する光源ブロックを各液晶セルの画素データの印加に対する応答特性に対応して点滅させる一方、静止画像と判定されたフレームブロックに対応するバックライトを常時点灯させるようにしたので、動画像には残像現象やエッジぼけが少なく、かつ静止画像にはフリッカが発生しない。このため、表示画面の画質を向上できる。
【発明を実施するための最良の形態】
【００１６】
光源を液晶パネルの第２の方向（走査方向）に分割した複数の光源ブロックで構成し、動画像の領域に対応する光源ブロックを同液晶パネルの応答特性に対応して点滅させる液晶表示装置を提供する。
【実施例】
【００１７】
図１は、この発明の実施例である液晶表示装置の電気的構成を示すブロック図である。  この例の液晶表示装置は、同図に示すように、動画検出回路２１と、駆動電圧制御部２２と、ＬＵＴ（Look Up Table 、ルック・アップ・テーブル）２３と、データ電極駆動回路２４と、走査電極駆動回路２５と、液晶パネル２６と、点灯タイミングｄｕｔｙ（デューティ）制御部２７と、Ｂ／Ｌ（バックライト）ｂｌｏｃｋ［１］駆動回路２８と、Ｂ／Ｌｂｌｏｃｋ［２］駆動回路２９と、Ｂ／Ｌｂｌｏｃｋ［３］駆動回路３０と、Ｂ／Ｌｂｌｏｃｋ［４］駆動回路３１と、バックライト３２，３３，３４，３５とから構成されている。バックライト３２，３３，３４，３５は、液晶パネル２６の走査方向に分割されて構成されている。
【００１８】
動画検出回路２１は、メモリ２１ａと、動画検出比較器２１ｂとから構成されている。メモリ２１ａは、たとえばＲＡＭ（Randam Access Memory）などで構成され、映像入力信号ＶＤをフレーム毎に記憶する。動画検出比較器２１ｂは、映像入力信号ＶＤの１フレームをバックライト３２，３３，３４，３５の走査方向の長さに対応した４つのフレームブロックに分割し、同各フレームブロック毎に動画像／静止画像を判定して判定結果Ａを出力する。特に、この実施例では、動画検出比較器２１ｂは、映像入力信号ＶＤから時間的に連続する画像の現フレーム画像とメモリ２１ａに記憶されている前フレーム画像との間の動きベクトルを各フレームブロック毎に検出し、同動きベクトルに基づいて現フレーム画像を同各フレームブロック毎に動画像と静止画像とに区別する。
【００１９】
駆動電圧制御部２２は、データ電極駆動回路２４が液晶パネル２６の各液晶セルをオーバシュート駆動するための電圧を判定結果Ａに基づいて制御する。ＬＵＴ２３には、同オーバシュート駆動用の電圧の動画像表示に適したデータ及び静止画像表示に適したデータが格納されている。点灯タイミングｄｕｔｙ制御部２７は、複数の論理回路などで構成され、判定結果Ａに基づき、動画像と判定されたフレームブロックに対応するバックライトを液晶パネル２６の各液晶セルの画素データの印加に対する応答特性に対応して点滅させるための制御信号を出力する一方、静止画像と判定されたフレームブロックに対応するバックライトを常時点灯させるための制御信号を出力する。特に、この実施例では、点灯タイミングｄｕｔｙ制御部２７は、画素データの印加に対する各液晶セルの応答が完了する前は当該のバックライトを消灯させる一方、応答が完了した時点で当該のバックライトを点灯させる。
【００２０】
Ｂ／Ｌｂｌｏｃｋ［１］駆動回路２８は、たとえばインバータなどで構成され、点灯タイミングｄｕｔｙ制御部２７から出力される制御信号に基づいてバックライト３２を駆動する。同インバータは、商用電源を整流して直流をつくり、さらに、たとえば４５ｋＨｚ程度の高周波を発生し、図示しない高周波安定器を通じてバックライト３２を点灯する。同様に、Ｂ／Ｌｂｌｏｃｋ［２］駆動回路２９、Ｂ／Ｌｂｌｏｃｋ［３］駆動回路３０及びＢ／Ｌｂｌｏｃｋ［４］駆動回路３１は、バックライト３３，３４，３５をそれぞれ駆動する。バックライト３２，３３，３４，３５は、たとえば冷陰極管及び同冷陰極管の光を拡散して面光源とする導光板などで構成されている。
【００２１】
図２は、図１中の液晶パネル２６の一例を示す図である。
この液晶パネル２６は、同図２に示すように、データ電極Ｘi（ｉ＝１，２，…，ｍ、たとえば、ｍ＝６４０×３）と、走査電極Ｙj（ｊ＝１，２，…，ｎ、たとえば、ｎ＝５１２）と、画素セル４０i,jとから構成されている。データ電極Ｘiは、ｘ方向（すなわち、第１の方向）に所定間隔で設けられ、該当する画素データＤiに応じた電圧が印加される。走査電極Ｙjは、ｘ方向と直交するｙ方向（すなわち、走査方向、第２の方向）に所定間隔で設けられ、画素データＤiを書き込むための走査信号ＯＵＴjが順次印加される。画素セル４０i,jは、データ電極Ｘiと走査電極Ｙjとの交差領域と１対１に対応して設けられ、ＴＦＴ４１i,jと、液晶セル４２i,jと、共通電極ＣＯＭとから構成されている。ＴＦＴ４１i,jは、走査信号ＯＵＴjに基づいてオン／オフ制御され、オン状態になったときに液晶セル４２i,jに画素データＤiに応じた電圧を印加する。この液晶パネル２６は、走査電極Ｙjに走査信号ＯＵＴjが順次印加されると共にデータ電極Ｘiに該当する画素データＤiが印加されることにより各液晶セル４２i,jに当該の画素データＤiが印加され、バックライト３２，３３，３４，３５から与えられる光に対して表示画像に対応した変調を行う。データ電極駆動回路２４は、画像データＶＤに基づいて画素データＤiに応じた電圧を各データ電極Ｘiに印加する。走査電極駆動回路２５は、走査信号ＯＵＴjを線順次に各走査電極Ｙjに印加する。
【００２２】
図３は、図１中の液晶パネル２６の概略の構造及びバックライト３２，３３，３４，３５の位置を示す図である。
この液晶パネル２６は、同図３に示すように、一対の偏光板４１，４２と、ガラス基板４３と、アレイ基板４４と、これらに挟まれた液晶層４５とから構成されている。ガラス基板４３上には、Ｒ（赤），Ｇ（緑），Ｂ（青）のカラーフィルタ５０が形成され、Ｒ，Ｇ，Ｂの３色を有する３画素で１ドットが構成されている。アレイ基板４４は、図２中のＴＦＴ４１i,jなどの能動素子を載せたガラス基板である。バックライト３２，３３，３４，３５は、液晶パネル２６の背面側に配置され、たとえば白色蛍光ランプの光を面光源にするものであり、図４に示すように、全体で液晶パネル２６の表示画面とほぼ同一の大きさに形成され、同液晶パネル２６の走査方向に分割されている。
【００２３】
この液晶パネル２６では、バックライト３２，３３，３４，３５の白色光が、偏光板４２を通過した後に直線偏光となって液晶層４５に入射する。液晶層４５は、偏光の形状を変える働きをするが、この働きは液晶の配向状態によって決まっているため、画素データＤiに対応した電圧によって偏光形状が制御される。この液晶層４５から出射する偏光の形状により、出射光が偏光板４２に吸収されるか否かが決まる。このようにして、画素データＤiに対応した電圧によって光の透過率が制御される。また、カラーフィルタ５０のＲ，Ｇ，Ｂの各画素を通過した光の加色混合によってカラー画像が得られる。
【００２４】
図５は、図１の液晶表示装置の動作を説明するタイムチャートである。
この図を参照して、この例の液晶表示装置に用いられる駆動方法について説明する。
映像入力信号ＶＤは、メモリ２１ａにフレーム毎に記憶される。また、映像入力信号ＶＤは、動画検出比較器２１ｂで１フレームがバックライト３２，３３，３４，３５の走査方向の長さにそれぞれ対応した４つのフレームブロック［１］，［２］，［３］，［４］に分割される。そして、映像入力信号ＶＤから時間的に連続する画像の現フレーム画像とメモリ２１ａに記憶されている前フレーム画像との間の動きベクトルが各フレームブロック毎に検出され、同動きベクトルに基づいて同各フレームブロック毎に現フレーム画像の動画像／静止画像が判定され、判定結果Ａが出力される（画像判定処理）。
【００２５】
判定結果Ａは駆動電圧制御部２２に入力され、同駆動電圧制御部２２では、データ電極駆動回路２４が液晶パネル２６の各液晶セル４２i,jをオーバシュート駆動するための電圧を判定結果Ａ及びＬＵＴ２３に格納されているデータに基づいて制御する。また、映像入力信号ＶＤはデータ電極駆動回路２４に入力され、同データ電極駆動回路２４から画素データＤiに応じた電圧が液晶パネル２６の各データ電極Ｘiに印加される。この電圧は、駆動電圧制御部２２により、オーバシュート駆動用の値に制御されている。また、走査電極駆動回路２５から走査信号ＯＵＴjが線順次に液晶パネル２６の各走査電極Ｙjに印加される。
【００２６】
一方、判定結果Ａは点灯タイミングｄｕｔｙ制御部２７に入力され、同点灯タイミングｄｕｔｙ制御部２７から、動画像と判定されたフレームブロックに対応するバックライトを液晶パネル２６の各液晶セル４２i,jの画素データＤiの印加に対する応答特性に対応して点滅させるための制御信号、及び静止画像と判定されたフレームブロックに対応するバックライトを常時点灯させるための制御信号が出力される。これら制御信号は、Ｂ／Ｌｂｌｏｃｋ［１］駆動回路２８、Ｂ／Ｌｂｌｏｃｋ［２］駆動回路２９、Ｂ／Ｌｂｌｏｃｋ［３］駆動回路３０及びＢ／Ｌｂｌｏｃｋ［４］駆動回路３１に入力され、バックライト３３，３４，３５がそれぞれ駆動される（光源ブロック駆動処理）。この場合、画素データＤiの印加に対する各液晶セル４２i,jの応答が完了する前は当該のバックライトが消灯し、応答が完了した時点で当該のバックライトが点灯する。
【００２７】
たとえば、図５に示すように、フレームブロック［１］が、映像入力信号ＶＤのｎフレームで静止画像、及びｎ＋１フレームで動画像と判定された場合、バックライト３２は、ｎフレームの期間では常時点灯する。ｎ＋１フレームの期間では、時刻ｔ１でバックライト３２が消灯すると共に、フレームブロック［１］に対応する液晶セル４２i,jの応答が開始する。時刻ｔ２で液晶セル４２i,jの応答が完了し、バックライト３２が時刻ｔ２から時刻ｔ３までの時間Ｔ１の期間（たとえば、１／４フレーム期間）点灯する。
【００２８】
フレームブロック［２］が、映像入力信号ＶＤのｎフレーム及びｎ＋１フレームで動画像と判定された場合、時間Ｔ２の期間（たとえば、１／４フレーム期間）点灯していたバックライト３３が時刻ｔ４で消灯すると共に、フレームブロック［２］に対応する液晶セル４２i,jの応答が開始する。時刻ｔ１で液晶セル４２i,jの応答が完了し、バックライト３３が時刻ｔ１から時刻ｔ５までの時間Ｔ３（たとえば、１／４フレーム期間）の期間点灯する。時間Ｔ３の期間点灯していたバックライト３３が時刻ｔ５で消灯すると共に、フレームブロック［２］に対応する液晶セル４２i,jの応答が開始する。時刻ｔ３で液晶セル４２i,jの応答が完了し、バックライト３３が時刻ｔ３から時刻ｔ８までの時間Ｔ４の期間（たとえば、１／４フレーム期間）点灯する。
【００２９】
同様に、フレームブロック［３］が、映像入力信号ＶＤのｎフレーム及びｎ＋１フレームで動画像と判定された場合、時間Ｔ５の期間（たとえば、１／４フレーム期間）点灯していたバックライト３４が時刻ｔ６で消灯すると共に、フレームブロック［３］に対応する液晶セル４２i,jの応答が開始する。時刻ｔ５で液晶セル４２i,jの応答が完了し、バックライト３４が時刻ｔ５から時刻ｔ７までの時間Ｔ６の期間（たとえば、１／４フレーム期間）点灯する。時間Ｔ６の期間点灯していたバックライト３４が時刻ｔ７で消灯すると共に、フレームブロック［３］に対応する液晶セル４２i,jの応答が開始する。時刻ｔ８で液晶セル４２i,jの応答が完了する。
【００３０】
フレームブロック［４］が、映像入力信号ＶＤのｎフレーム及びｎ＋１フレームで静止画像と判定された場合、バックライト３５が常時点灯する。
【００３１】
以上のように、この実施例では、液晶パネル２６の走査方向に分割されたバックライト３２，３３，３４，３５を設け、映像入力信号ＶＤの１フレームを同バックライト３２，３３，３４，３５の走査方向の長さに対応した４つのフレームブロック［１］，［２］，［３］，［４］に分割し、動画検出回路２１で同各フレームブロック［１］，［２］，［３］，［４］毎に動画像／静止画像を判定し、点灯タイミングｄｕｔｙ制御部２７が、動画像と判定されたフレームブロックに対応するバックライトを各液晶セル４０i,jの画素データＤiの印加に対する応答特性に対応して点滅させる一方、静止画像と判定されたフレームブロックに対応するバックライトを常時点灯させるようにしたので、動画像には残像現象やエッジぼけが少なく、かつ静止画像にはフリッカが発生しない。このため、表示画面の画質が向上する。
【産業上の利用可能性】
【００３２】
以上、この発明の実施例を図面により詳述してきたが、具体的な構成はこの実施例に限られるものではなく、この発明の要旨を逸脱しない範囲の設計の変更などがあっても、この発明に含まれる。
たとえば、上記実施例では、液晶パネル２６が透過型であるが、この発明は、反射型の液晶パネルにも適用できる。すなわち、バックライト３２，３３，３４，３５と同様の走査方向に分割された４つの導光体を液晶パネルの表示面側に配置し、これらの各導光体の入射面側に冷陰極管などの光源を同各導光体毎に設け、かつ液晶パネルの背面側に反射板を設けることにより、上記実施例とほぼ同様の作用、効果が得られる。また、バックライト３２，３３，３４，３５は、冷陰極管で構成されているが、必要な光量が得られるものであれば、たとえばＬＥＤ（発光ダイオード）やＥＬ（エレクトロルミネセンス）などで構成しても良い。また、図５中の時間Ｔ１乃至Ｔ６は、１／４フレーム期間の長さに設定されているが、当該の液晶セル４２i,jの応答が完了している期間であれば、１／４フレーム期間に限定されず、たとえば１／２フレーム期間でも良い。この場合、１／４フレーム期間に設定された場合と同一の明るさを得るには、光量を１／２に設定する。
【図面の簡単な説明】
【００３３】
【図１】この発明の実施例である液晶表示装置の電気的構成を示すブロック図である。
【図２】図１中の液晶パネル２６の一例を示す図である。
【図３】図１中の液晶パネル２６の概略の構造及びバックライト３２，３３，３４，３５の位置を示す図である。
【図４】図３中のバックライト３２，３３，３４，３５の構成図である。
【図５】図１の液晶表示装置の動作を説明するタイムチャートである。
【図６】従来の液晶表示装置の構成図である。
【図７】従来の他の液晶表示装置の構成図である。
【図８】図７の液晶表示装置の表示面の構成図である。
【符号の説明】
【００３４】
２１      動画検出回路（画像判定部）
２１ａ      メモリ（画像判定部の一部）
２１ｂ      動画検出比較器（画像判定部の一部）
２６      液晶パネル
２７      点灯タイミングｄｕｔｙ制御部（光源ブロック駆動部の一部）
２８      Ｂ／Ｌｂｌｏｃｋ［１］駆動回路（光源ブロック駆動部の一部）
２９      Ｂ／Ｌｂｌｏｃｋ［２］駆動回路（光源ブロック駆動部の一部）
３０      Ｂ／Ｌｂｌｏｃｋ［３］駆動回路（光源ブロック駆動部の一部）
３１      Ｂ／Ｌｂｌｏｃｋ［４］駆動回路（光源ブロック駆動部の一部）
３２，３３，３４，３５      バックライト（光源、光源ブロック）
４０i,j      画素セル
４１i,j      ＴＦＴ（Thin Film Transistor、薄膜トランジスタ）
４２i,j      液晶セル
ＣＯＭ      共通電極
Ｘi      データ電極
Ｙj      走査電極
【図１】
2005099367.tif 000003
【図２】
2005099367.tif 000004
【図３】
2005099367.tif 000005
【図４】
2005099367.tif 000006
【図５】
2005099367.tif 000007
【図６】
2005099367.tif 000008
【図７】
2005099367.tif 000009
【図８】
2005099367.tif 000010